(57)【要約】【課題】薬液の加熱時間により装置の処理能力が落ちることがなく、安全で、電気代を節約できる超音波を用いた生体組織処理装置を提供する。【解決手段】固定液タンク２及び、脱水剤タンク３、４、５、６，中間処理剤タンク７、８それぞれにヒーターを設け、通常は無加熱または４０℃〜５０℃に保温しておき、処理槽１に固定液又は脱水剤又は中間処理剤を注入する一定時間前に注入する液または剤を加熱し約６０℃にすることで、加熱時間を必要最小限にする。【選択図】図１
2006275655.tif 000002
【特許請求の範囲】
【請求項１】
超音波を使った生体組織切片を作製する処理装置において、固定液タンク及び、脱水剤タンク、中間処理剤タンクのすべてのタンク、または一部のタンクに加熱出来る手段を設け、処理槽に固定液又は脱水剤又は中間処理剤を注入する一定時間前に注入する液または剤を加熱することを特徴とする生体組織処理装置。
【発明の詳細な説明】
【技術分野】
【０００１】
本発明は、生体組織切片の作製において、固定液、脱水剤、中間処理剤、パラフィンを生体組織に浸透させる生体組織処理装置に関するもので、生体組織切片作製時に超音波を照射することによって迅速かつ高感度な病理組織検体の作製を可能にする方法に関するものである。
【背景技術】
【０００２】
従来、病理診断用の生体組織切片作製には、固定液にホルマリン、脱水剤にアルコール、中間処理剤にキシレンを用い、生体組織のホルマリンによる固定工程からアルコールによる脱水工程、キシレンによる中間処理工程、パラフィンによるパラフィン浸透工程等の工程を経た後、パラフィンの充填を行いパラフィンブロックを作製する。その後パラフィンブロックの薄切を行い、スライドガラスに貼り付けた後キシレンによる脱パラフィン、脱キシレン、脱アルコール等を行い、各種の染色法で染色してカバーグラスをかけるという手順を踏む。
【０００３】
近年、組織のホルマリンによる固定工程からアルコールによる脱水工程、キシレンによる中間処理工程、パラフィンによるパラフィン浸透工程等の工程で超音波を照射し、且つこの時の温度を約６０℃に保持することで従来よりも短時間で組織診断用の病理組織検体を作製できる用になった。
【０００４】
超音波を用いない従来装置では、処理槽、薬液タンク、ロータリ弁、管等必要に応じて保温、加熱の手段が設けられている。
【特許文献１】特願２００４−１６３３５９
【特許文献２】特公平１−１６３８５
【発明の開示】
【発明が解決しようとする課題】
【０００５】
常温にある固定液又は脱水剤又は中間処理剤を、処理槽に設けた加熱手段のみで６０℃の温度に加熱するには時間を要し、組織の固定からパラフィン浸透までの組織包埋処理時間を遅らせる要因になるため、薬液タンク内でも６０℃に保持することが望ましいが、        消費電力が大きくなり、電気代がかかる。また、引火性のある薬液も使用しているため、常に６０℃にしておくことは好ましくない。
【課題を解決するための手段】
【０００６】
本発明は上記課題を解決することを目的とし、その手段は固定液、脱水剤、中間処理剤を通常は加熱せず常温もしくは４０℃〜５０℃に保温し、処理槽へ注入する一定時間前から加熱し、６０℃にすることを特徴とする。
【発明の効果】
【０００７】
本発明の生体組織処理装置では、加熱に要する時間により装置の処理能力が落ちることが無く、必要最小限の時間だけ加熱することから、安全性が高く、且つ電気代を節約できる。
【発明を実施するための最良の形態】
【０００８】
本発明の生体組織処理装置は、固定液タンク及び、脱水剤タンク、中間処理剤タンクのすべてのタンク、または一部のタンクに加熱出来る手段を設け、処理槽に固定液又は脱水剤又は中間処理剤を注入する一定時間前に注入する液または剤を約６０℃に加熱する。
【実施例１】
【０００９】
図１は本発明の生体組織処理装置の構成例を示す図であり、この例について詳しく説明する。
【００１０】
本発明の生体組織処理装置は処理槽１、固定液タンク２、４基の脱水剤タンク３，４，５，６、２基の中間処理剤タンク７，８、２基のパラフィンタンク９、１０、ポンプ１１、バルブ１２、切り替えバルブ１３で構成され、処理糟１と各タンクは、バルブ１２と切り替えバルブ１３を通して管１４で連通している。
処理糟１と各タンクにはそれぞれヒーター１５、１６、１７、１８、１９、２０、２１、２２、２３、２４が敷設されている。
【００１１】
まず、固定工程では組織処理装置をスタートさせると固定液タンク２に敷設しているヒーター１６に通電する。３分後、メッセージがでたら処理槽1に人手で組織をセットし再スタートさせると、切り替えバルブ１３を固定液タンク２と繋ぐ。次にバルブ１２を開き、ポンプ１１で固定液を処理糟１に入れる。処理糟１にはセンサー２５が設けてあり、液を検知するとバルブ１２を閉じ、ポンプ１１を止め、ヒーター１６を遮電する。この状態で１５分間超音波を照射して組織に固定液を浸透させる。１５分後、バルブ１２を開き固定液を固定液タンク２に戻す。
【００１２】
次の脱水工程１では、切り替えバルブ１３を脱色剤タンク３と繋ぎ、バルブ１２を開き、ポンプ１１で脱水剤を処理糟１に入れる。脱水剤タンク３に敷設しているヒーター１７は固定工程のポンプ１１を止めてから１２分後に通電しており、本工程が始まる３分以上前に通電していることとなる。センサー２５で液を検知するとバルブ１２を閉じ、ポンプ１１を止め、ヒーター１７を遮電する。この状態で５分間超音波を照射して組織に脱水剤を浸透させる。５分後、バルブ１２を開き脱水剤を脱水剤タンク３に戻す。
【００１３】
次の脱水工程２では、切り替えバルブ１３を脱水剤タンク４と繋ぎ、バルブ１２を開き、ポンプ１１で脱水剤を処理糟１に入れる。脱水剤タンク４に敷設しているヒーター１８は脱水工程１のポンプ１１を止めてから２分後に通電しており、本工程が始まる３分以上前に通電していることとなる。センサー２５で液を検知するとバルブ１２を閉じ、ポンプ１１を止め、ヒーター１８を遮電する。この状態で５分間超音波を照射して組織に脱水剤を浸透させる。５分後、バルブ１２を開き脱水剤を脱水剤タンク４に戻す。
【００１４】
次の脱水工程３では、切り替えバルブ１３を脱水剤タンク５と繋ぎ、バルブ１２を開き、ポンプ１１で脱水剤を処理糟１に入れる。脱水剤タンク５に敷設しているヒーター１９は脱水工程２のポンプ１１を止めてから２分後に通電しており、本工程が始まる３分以上前に通電していることとなる。センサー２５で液を検知するとバルブ１２を閉じ、ポンプ１１を止め、ヒーター１９を遮電する。この状態で５分間超音波を照射して組織に脱水剤を浸透させる。５分後、バルブ１２を開き脱水剤を脱水剤タンク５に戻す。
【００１５】
次の脱水工程４では、切り替えバルブ１３を脱水剤タンク６と繋ぎ、バルブ１２を開き、ポンプ１１で脱水剤を処理糟１に入るれ。脱水剤タンク６に敷設しているヒーター２０は脱水工程３のポンプ１１を止めてから２分後に通電しており、本工程が始まる３分以上前に通電していることとなる。センサー２５で液を検知するとバルブ１２を閉じ、ポンプ１１を止め、ヒーター２０を遮電する。この状態で５分間超音波を照射して組織に脱水剤を浸透させる。５分後、バルブ１２を開き脱水剤を脱水剤タンク６に戻す。
【００１６】
次の中間処理工程１では、切り替えバルブ１３を中間処理剤タンク７と繋ぎ、バルブ１２を開き、ポンプ１１で中間処理剤を処理糟１に入れる。中間処理剤タンク７に敷設しているヒーター２１は脱水工程４のポンプ１１を止めてから２分後に通電しており、本工程が始まる３分以上前に通電していることとなる。センサー２５で液を検知するとバルブ１２を閉じ、ポンプ１１を止め、ヒーター２１を遮電する。この状態で５分間超音波を照射して組織に中間処理剤を浸透させる。５分後、バルブ１２を開き中間処理剤を中間処理剤タンク７に戻す。
【００１７】
次の中間処理工程２では、切り替えバルブ１３を中間処理剤タンク８と繋ぎ、バルブ１２を開き、ポンプ１１で中間処理剤を処理糟１に入れる。中間処理剤タンク８に敷設しているヒーター２２は中間処理工程１のポンプ１１を止めてから２分後に通電しており、本工程が始まる３分以上前に通電していることとなる。センサー２５で液を検知するとバルブ１２を閉じ、ポンプ１１を止め、ヒーター２２を遮電する。この状態で５分間超音波を照射して組織に中間処理剤を浸透させる。５分後、バルブ１２を開き中間処理剤を中間処理剤タンク８に戻す。
【００１８】
次のパラフィン浸透工程１では、切り替えバルブ１３をパラフィンタンク９と繋ぎ、バルブ１２を開き、ポンプ１１でパラフィンを処理糟１に入れる。パラフィンタンク９に敷設しているヒーター２３は常時通電しており、パラフィンを約６０℃に保っている。センサー２５で液を検知するとバルブ１２を閉じ、ポンプ１１を止める。この状態で５分間超音波を照射して組織にパラフィンを浸透させる。５分後、バルブ１２を開きパラフィンをパラフィンタンク９に戻す。
【００１９】
最後のパラフィン浸透工程２では、切り替えバルブ１３をパラフィンタンク１０と繋ぎ、バルブ１２を開き、ポンプ１１でパラフィンを処理糟１に入れる。パラフィンタンク１０に敷設しているヒーター２４は常時通電しており、パラフィンを約６０℃に保っている。センサー２５で液を検知するとバルブ１２を閉じ、ポンプ１１を止める。この状態で１０分間超音波を照射して組織にパラフィンを浸透させる。１０分後、処理終了のメッセージが出、人手で組織を取り出す。
【００２０】
処理槽１のヒーター１５は常時通電しており、処理槽１を約６０℃に保持している。
【００２１】
ヒーターに通電するタイミングは実験により決める。
【図面の簡単な説明】
【００２２】
【図１】本発明の構成の例を示す図である。
【符号の説明】
【００２３】
１  処理槽
２  固定液タンク
３  脱水剤タンク
４  脱水剤タンク
５  脱水剤タンク
６  脱水剤タンク
７  中間処理剤タンク
８  中間処理剤タンク
９  パラフィンタンク
１０  パラフィンタンク
１１  ポンプ
１２  バルブ
１３  切り替えバルブ
１４  管
１５  ヒーター
１６  ヒーター
１７  ヒーター
１８  ヒーター
１９  ヒーター
２０  ヒーター
２１  ヒーター
２２  ヒーター
２３  ヒーター
２４  ヒーター
２５  センサー
２６  超音波振動子
【図１】
2006275655.tif 000003